(57)【要約】【課題】クロマトグラムのベースラインの位置が異なる場合、微小ピーク付近を拡大する場合、夾雑ピークが付近にある場合はピーク同定が難しいという課題を解決し、視認性や操作性に優れ、ピークの同定が容易なクロマトグラムの表示方法を提供する。【解決手段】クロマトグラフの測定において、試料のクロマトグラム上に、既知成分のピークトップの溶出位置を示す縦線を、試料のクロマトグラムと交差させて表示する表示手段を有し、縦線が示す成分名及び／又は溶出位置を縦線の横に表示し、かつ各縦線を異なる色を用いて表示する、クロマトデータ処理装置。【選択図】図４
2015094674.tif 000002
【特許請求の範囲】
【請求項１】
クロマトグラフの測定において、試料のクロマトグラム上に、既知成分のピークトップの溶出位置を示す縦線を、試料のクロマトグラムと交差させて表示することを特徴とする、クロマトグラムの表示方法。
【請求項２】
請求項１に記載の方法において、クロマトグラム上に、縦線が示す成分名及び／又は溶出位置を表示する方法。
【請求項３】
請求項１又は２に記載の方法において、複数の縦線が存在する場合に、それらを異なる色を用いて表示する方法。
【請求項４】
クロマトグラフの測定において、試料のクロマトグラム上に、既知成分のピークトップの溶出位置を示す縦線を、試料のクロマトグラムと交差させて表示する表示手段を有することを特徴とする、クロマトデータ処理装置。
【請求項５】
請求項４に記載の装置において、クロマトグラム上に、縦線が示す成分名及び／又は溶出位置を表示する装置。
【請求項６】
請求項４又は５に記載の装置において、複数の縦線が存在する場合に、それらを異なる色を用いて表示する装置。
【発明の詳細な説明】
【技術分野】
【０００１】
本発明は、液体クロマトグラフィー等のクロマトグラフィーに用いられるクロマトグラムの表示方法及びクロマトデータ処理装置に関するものである。
【背景技術】
【０００２】
近年市販されるクロマトグラフには、ワークステーション等のコンピュータを用い得られたクロマトグラフのデータの処理等を自動で行なうことがほとんどである。さらに処理され、作成されたクロマトグラムからピークを検出するとともに、その位置（保持時間）及び高さ又は面積（強度）を算出するというデータ処理が自動的に行なわれるようになってきた。
【０００３】
しかし実際に分析を行う際に、既知試料の既知成分のピークとほぼ同等の位置に夾雑成分が現れたとき、誤認識していないか確認を行う場合がある。上記のような場合、図１のように既知試料のクロマトグラム（２：点線）と未知試料のクロマトグラム（１：実線）を同一クロマトグラム上に重ね描きをする、あるいは同一テーブル内に既知成分の溶出位置を数値で表し、同定すべきピークの判別の補助にする手法等が挙げられる。未知試料のクロマトグラム中に、既知試料の情報を表示した手法として、特許文献１では未知試料のクロマトグラムに同定テーブルの溶出位置を記号として重ねて表示する手法が記載されている。
【先行技術文献】
【特許文献】
【０００４】
【特許文献１】特許第３０９７５７１号公報
【発明の概要】
【発明が解決しようとする課題】
【０００５】
既知試料と未知試料を同一クロマトグラム上に重ね描きした場合、図２のようにベースラインの高さがずれると、未知試料のクロマトグラム（１）が既知試料のクロマトグラム（２）と離れてしまうという問題点があった。また、既知試料と未知試料のベースラインがほぼ同一の位置にあっても、図３のように未知試料のクロマトグラム（１）のピークが微小である場合、その微小ピーク付近を拡大してしまうと既知試料のクロマトグラム（２）のピークが見切れてしまうという問題点があった。さらに同定すべきピークと夾雑成分のピークが近い場合、ピーク同定が難しいという問題点があった。
【０００６】
特許文献１では、自動波形処理のピークもしくは別画面での手動波形処理によるピーク同定のみであるため、既知成分位置が表示されたクロマトグラム内で手動波形処理を行うことができず、自動波形処理では同定できないピークが存在した場合、操作性が必ずしも高いものではなかった。
【０００７】
本発明はこのような問題を解決し、視認性や操作性に優れ、ピークの同定が容易なクロマトグラムの表示方法を提供することを目的とする。
【課題を解決するための手段】
【０００８】
本発明者らは上記課題を解決するため鋭意検討した結果、本発明に到達した。即ち本発明は以下の通りである。
【０００９】
（１）クロマトグラフの測定において、試料のクロマトグラム上に、既知成分のピークトップの溶出位置を示す縦線を、試料のクロマトグラムと交差させて表示することを特徴とする、クロマトグラムの表示方法。
（２）（１）に記載の方法において、クロマトグラム上に、縦線が示す成分名及び／又は溶出位置を表示する方法。
（３）（１）又は（２）に記載の方法において、複数の縦線が存在する場合に、それらを異なる色を用いて表示する方法。
（４）クロマトグラフの測定において、試料のクロマトグラム上に、既知成分のピークトップの溶出位置を示す縦線を、試料のクロマトグラムと交差させて表示する表示手段を有することを特徴とする、クロマトデータ処理装置。
（５）（４）に記載の装置において、クロマトグラム上に、縦線が示す成分名及び／又は溶出位置を表示する装置。
（６）（４）又は（５）に記載の装置において、複数の縦線が存在する場合に、それらを異なる色を用いて表示する装置。
【００１０】
以下に、本発明を更に詳細に説明する。本発明の表示方法においては、既知成分のピークトップの溶出位置を示す縦線を、試料のクロマトグラム上に、それと交差させて表示することを特徴とするものである。この縦線は、クロマトグラムと交差させて表示することが必須である。ここで「交差させて」とは、縦線がクロマトグラムの線を横切ってもよく、また縦線の上端又は下端がクロマトグラムの線上にあってもよいことを意味する（図９の８，７）。
【００１１】
また縦線の長さに特に限定はないが、クロマトグラムの線から上方及び／又は下方に向けて、クロマトグラムの線幅以上の長さを有する縦線とすることが好ましく、これにより視認性が更に良好になる（図９の７〜１１）。また、縦線がクロマトグラムのベースライン以下まで表示されていることが更に好ましく（図９の８，１０，１１）、クロマトグラムの表示スペースの上端及び／又は下端まで表示されていることも好ましい（図９の７，８，１１）。
【００１２】
縦線としては実線であることが好ましいが、破線、点線等であってもよい。
【００１３】
本発明では、縦線が示す成分名及び／又は溶出位置をクロマトグラム上に表示することが好ましい。表示させる場所には特に限定はないが、縦線の近傍が好ましい。特に縦線の横に表示させることにより、縦線の横軸上の位置を確認する際の妨げになることもなく、更に好ましいものである。一方、表示スペースを省略するためにそれらは略語等で表示してもよく、また溶出位置として溶出時間等を表示してもよい。
【００１４】
本発明において、クロマトグラム上に縦線を複数表示させる場合には、識別しやすくするために、縦線を異なる色（例えば赤、青、緑等）を用いて表示することが好ましい。例えば縦線が２本の場合は、２色用いて各線を異なる色で表示することが好ましい。また縦線が３本以上の場合は、２色以上を用いて縦線を異なる色で表示することが好ましい。このとき同じ色を複数回用いて表示させてもよく、又はすべての縦線を異なる色で表示させてもよい。
【００１５】
本発明のクロマトデータ処理装置は、既知成分のピークトップの溶出位置を示す縦線を、試料のクロマトグラム上に、それと交差させて表示する表示手段を有することを特徴とするものである。既知成分のピークトップの溶出位置を示す縦線を、試料のクロマトグラム上に、それと交差させて表示することについては、前述の表示方法と同様である。また、その表示手段については特に限定はないが、例えば縦線をクロマトグラム上に表示させる合成表示手段であることが好ましい。また縦線をクロマトグラム上に表示させた画面は、他の画面が存在する場合でも最前面に表示されることが好ましく、またその画面には他検体の結果を同様の画面表示で連続的に表示させることができる機能を有することが好ましい。
【発明の効果】
【００１６】
本発明により、視認性や操作性に優れ、ピークの同定が容易なクロマトグラムを表示することができ、具体的には、既知成分と夾雑成分を容易に判別することができ、手動波形処理でのピーク検出が容易になる。
【図面の簡単な説明】
【００１７】
【図１】従来の表示方法によるクロマトグラムの一例を示す図である。
【図２】従来の表示方法によるクロマトグラムの一例であって、ベースラインが離れている場合を示す図である。
【図３】従来の表示方法によるクロマトグラムの一例であって、微小ピークを拡大した場合を示す図である。
【図４】本発明の表示方法によるクロマトグラムの一例を示す図である。
【図５】本発明の表示方法によるクロマトグラムの一例を示す図であって、夾雑成分ピークが既知成分ピーク付近に生じた場合を示す図である。
【図６】図５の夾雑成分ピークと既知成分ピークを拡大した図である。
【図７】本発明の表示方法によるクロマトグラムの一例を示す図であって、ベースラインの高さがずれた場合を示す図である。
【図８】図７の微小ピークを拡大した図である。
【図９】縦線の種類、長さについて説明した図である。
【実施例】
【００１８】
［実施例１］
図４に、未知試料のクロマトグラム（１）上に３種の既知成分のピークトップの溶出位置を示す縦線（３）を表示し、さらにその横に溶出位置と成分名（４）を表示したクロマトグラムを示す。ここでは、未知試料データ内に、３種の既知成分の名称と溶出時間を保存し、クロマトグラフ手動波形処理画面に、それら３種の既知成分の情報を読み込み、未知試料のクロマトグラム上に表示させた。
【００１９】
［実施例２］
図５，６に、未知試料の既知成分のピーク（６）と夾雑成分のピーク（５）が重なったクロマトグラムを示す。既知成分のピークトップの溶出位置を示す縦線（３）により、同定すべきピークの特定が容易になる。なお図６は、図５の夾雑成分ピークと既知成分ピークを拡大したものである。
【００２０】
［実施例３］
図７，８に、ベースラインの高さがずれた場合のクロマトグラムを示す。縦線（３）で既知成分のピークトップの溶出位置が表示されるため、同定すべきピークの特定が容易になる。なお、３本の縦線は、それぞれ左から順に青、赤、緑色で表示させた。また図８は、図７の微小ピークを拡大したものである。
【符号の説明】
【００２１】
１：未知試料のクロマトグラム
２：既知試料のクロマトグラム
３：既知成分のピークトップの溶出位置を示す縦線
４：既知成分の成分名と溶出位置
５：未知試料の夾雑成分のピーク
６：未知試料の既知成分のピーク
７〜１１：既知成分のピークトップの溶出位置を示す縦線
【図１】
2015094674.tif 000003
【図２】
2015094674.tif 000004
【図３】
2015094674.tif 000005
【図４】
2015094674.tif 000006
【図５】
2015094674.tif 000007
【図６】
2015094674.tif 000008
【図７】
2015094674.tif 000009
【図８】
2015094674.tif 000010
【図９】
2015094674.tif 000011